(57)【要約】【課題】塵埃を容易に排出することが可能な電気掃除機を提供する。【解決手段】  電気掃除機は、塵埃を含む旋回気流を導入する導入口および空気の出口となる開口を有し、旋回気流により塵埃を集塵する集塵容器を有し、集塵容器には塵埃を排出するための開口が設けられているサイクロン集塵装置と集塵室内にて塵埃を圧縮する螺旋状回転圧縮部１２３と，開口３３０に嵌め合わせられる蓋部３１０と、蓋部３１０を集塵容器１１に回動可能に取付ける回動機構５１０と、蓋部３１０を集塵容器１１に係合させることが可能な第一および第二係合部５２０，５３０とを備え、回動機構５１０と蓋部３１０の中心とを結ぶ線の両側に第一および第二係合部５２０，５３０がそれぞれ設けられ、螺旋状回転圧縮部１２３で圧縮された塵埃は蓋部３１０が開かれることで開口３３０から集塵容器１１外へ排出される。【選択図】図７
2010104502.tif 000002
【特許請求の範囲】
【請求項１】
塵埃を含む旋回気流を導入する導入口および空気の出口となる開口を有し、旋回気流により塵埃を集塵する集塵容器を有し、前記集塵容器には塵埃を排出するための開口が設けられているサイクロン集塵装置と
前記集塵室内にて塵埃を圧縮する圧縮部と，
前記開口に嵌め合わせられる蓋部と、
前記蓋部を前記集塵容器に回動可能に取付ける回動機構と、
前記蓋部を前記容器に係合させることが可能な第一および第二係合部とを備え、
前記回動機構と前記蓋部の中心とを結ぶ線の両側に前記第一および第二係合部がそれぞれ設けられ、
前記圧縮部で圧縮された塵埃は前記第一および第二係合部による係合が解除されて前記蓋部が開かれることで開口から集塵容器外へ排出される、電気掃除機。
【請求項２】
前記第一および第二係合部に接続された操作部をさらに備え、前記操作部が操作させることで前記第一および第二係合部における前記蓋部と前記集塵容器との係合が解除される、請求項１に記載の電気掃除機。
【発明の詳細な説明】
【技術分野】
【０００１】
この発明は、電気掃除機に関し、より特定的には、旋回気流により塵埃を除去する電気掃除機に関するものである。
【背景技術】
【０００２】
従来、電気掃除機は、たとえば特開２００７−２５２８３８号公報（特許文献１）に開示されている。
【特許文献１】特開２００７−２５２８３８号公報
【発明の開示】
【発明が解決しようとする課題】
【０００３】
従来の電気掃除機では、サイクロン集塵機内の塵埃を排出することが困難であるという問題があった。
【０００４】
そこで、この発明は上述のような問題点を解決するためになされたものであり、塵埃を容易に排出することが可能な電気掃除機を提供することを目的とする。
【課題を解決するための手段】
【０００５】
この発明に従った電気掃除機は、塵埃を含む旋回気流を導入する導入口および空気の出口となる開口を有し、旋回気流により塵埃を集塵する集塵容器を有し、集塵容器には塵埃を排出するための開口が設けられているサイクロン集塵装置と集塵室内にて塵埃を圧縮する圧縮部と，開口に嵌め合わせられる蓋部と、蓋部を集塵容器に回動可能に取付ける回動機構と、蓋部を容器に係合させることが可能な第一および第二係合部とを備え、回動機構と蓋部の中心とを結ぶ線の両側に第一および第二係合部がそれぞれ設けられ、圧縮部で圧縮された塵埃は第一および第二係合部による係合が解除されて蓋部が開かれることで開口から集塵容器外へ排出される。
【０００６】
好ましくは、電気掃除機は、第一および第二係合部に接続された操作部をさらに備え、操作部が操作させることで第一および第二係合部における蓋部と集塵容器との係合が解除される。
【０００７】
このように構成された電気掃除機では、圧縮部で圧縮された塵埃は、蓋部が開かれることで集塵容器外へ容易に排出することができる。また、回動機構と蓋部の中心とを結ぶ線の両側に第一および第二係合部が配置されることで、係合部により確実に蓋部を集塵容器に押圧することができる。
【発明を実施するための最良の形態】
【０００８】
以下、この発明の実施の形態について、図面を参照して説明する。図１は、この発明の実施の形態に従った電気掃除機の外観図である。まず図１を用いて、この発明の実施の形態に係る電気掃除機４００の概略構成について説明する。図１で示すように、電気掃除機４００は、掃除機本体部４１０、吸気口部４２０、接続管４３０、接続ホース４４０、操作ハンドル４５０などを備えている。掃除機本体部４１０には、図１では示さない電動送風機、サイクロン集塵機および制御装置などが内蔵されている。
【０００９】
電動送風機は、吸気を行なうための送風ファンおよび送風ファンを回転駆動する送風駆動モータを有している。制御装置は、ＣＰＵ(Central Processing Unit)、ＲＡＭ(Random Access Memory)、ＲＯＭ(Read Only Memory)などの制御機器を有しており、電気掃除機４００を統括的に制御する。具体的には、制御装置では、ＣＰＵがＲＯＭに記憶された制御プログラムに従って種々の処理を実行する。
【００１０】
操作ハンドル４５０には、ユーザが電気掃除機４００の稼動の有無や運転モードの選択操作などを行なうための操作スイッチが設けられている。また、その操作スイッチ近傍には、電気掃除機４００の現在の状態を表示するＬＥＤ(Light Emitting Diodes)などの表示部も設けられている。
【００１１】
掃除機本体部４１０は、掃除機本体部４１０の前端に接続された接続ホース４４０と、接続ホース４４０に接続された接続管４３０とを介して吸気口部４２０に接続されている。したがって、電気掃除機４００では、掃除機本体部４１０に内蔵された電動送風機が作動することにより、吸気口部４２０からの吸気が行なわれる。そして、吸気口部４２０から吸気された空気は、接続管４３０および接続ホース４４０を通じてサイクロン集塵装置に流入する。サイクロン集塵装置では、吸い込まれた空気から塵埃が遠心分離される。なお、サイクロン集塵装置で塵埃が分離された後の空気は、掃除機本体部４１０の後端に設けられた排気口から排出される。
【００１２】
以下、本発明に係るサイクロン集塵装置の一例であるサイクロン集塵装置について説明する。
【００１３】
図２は、この発明の実施の形態に従った電気掃除機で用いられるサイクロン集塵装置の底面図である。図３は、図２中のＩＩＩ−ＩＩＩ線に沿ったサイクロン集塵装置の内部構造を説明するための断面図である。図４は、図２中のＩＶ−ＩＶ線に沿ったサイクロン集塵装置の内部構造を説明するための断面図である。
【００１４】
図２から図４で示すように、サイクロン集塵装置３００は、筐体１０、内周面がほぼ円筒状で、上記筐体１０に対して着脱自在の集塵容器１１（捕集容器の一例）、内筒１２、上部フィルタユニット１３、塵埃受部１４および除塵駆動機構などを備えて概略構成されている。
【００１５】
サイクロン集塵装置３００では、集塵容器１１、内筒１２、上部フィルタユニット１３および塵埃受部１４が、垂直の中心軸Ｐを中心に同軸上に配置されている。また、サイクロン集塵装置３００は、掃除機本体部４１０に着脱可能に構成されている。
【００１６】
上記上蓋の一例である筐体１０は、内筒フィルタ１２２を備えた内筒１２を備えている。
【００１７】
このサイクロン集塵装置３００では、ほぼ円筒状の集塵容器１１の中心部に設けられた内筒１２から集塵容器１１の空気を排気することにより、集塵容器１１の内周部に設けられた空気流入口１１１ａから吸い込まれた空気を集塵容器１１の内周面に沿って旋回させた後、フィルタ手段の一例である上部フィルタユニット１３などを経て内筒１２を経て排気し、空気に含まれる比較的大きい捕集対象物を集塵容器１１の底部で捕集するとともに、比較的小さい捕集対象物を上部フィルタユニット１３などにおいて捕集するものである。
【００１８】
集塵容器１１は、吸い込まれた空気から分離された塵埃を収容するための内周面が円筒状で、かつ外形も円筒状の容器である。集塵容器１１は、サイクロン集塵装置３００の筐体１０に着脱可能に構成されている。
【００１９】
集塵容器１１の底部には、底蓋３１０が開閉自在に取付けられている。図２では底蓋３１０が閉じた状態を示している。ユーザは、掃除機本体部４１０からサイクロン集塵装置３００を取り出した後、底蓋３１０を開くことで集塵容器１１内の塵埃を廃棄する。
【００２０】
サイクロン集塵装置３００の筐体１０と集塵容器１１との間には、環状のシール部材１６１が設けられている。このシール部材１６１により、筐体１０および集塵容器１１間の空気の漏れが防止できる。
【００２１】
また、集塵容器１１の底蓋３１０には、内筒１２に設けられた回転軸部１２３ｂに嵌合する嵌合部１１ａが設けられている。嵌合部１１ａの外周部には、内筒１２の回転軸部１２３ｂとの隙間を埋めるための環状のシール部材１１ｂが設けられている。このシール部材１１ｂにより、回転軸部１２３ｂおよび集塵容器１１の間の空気の漏れを防止できる。
【００２２】
さらに、集塵容器１１には、接続ホース４４０が接続される接続部１１１が設けられている。吸気口部４２０から接続管４３０および接続ホース４４０を通じて吸い込まれた空気は、接続部１１１から集塵容器１１内に流入する。
【００２３】
接続部１１１の集塵容器１１への空気流入口１１１ａは、接続ホース４４０からの空気が集塵容器１１内で旋回するように形成されている。具体的には、空気流入口１１１ａは、集塵容器１１の接線方向に向くように形成されていることで、空気流入口１１１ａから吸い込まれた空気は集塵容器１１の内周に沿って旋回する。したがって、旋回する空気に含まれた塵埃は旋回により遠心力で集塵容器１１の内周面に押し付けられ、そのために旋回の速度を失って集塵容器１１の底に落下し、旋回空気から分離（遠心分離）される。そして、集塵容器１１で遠心分離された塵埃は、集塵容器１１の底部に収容される。
【００２４】
一方、塵埃が分離された後の空気は、集塵容器１１から矢印１１２ａで示す排気経路に沿って掃除機本体部４１０に設けられた排出口から外部に排気される。ここで、集塵容器１１から排気口までの排気経路１１２上には、内筒１２、塵埃受部１４および上部フィルタユニット１３が順に配置されており、空気流中の比較的細かい塵埃が内筒１２および上部フィルタユニット１３に設けられたフィルタにより取り除かれる。
【００２５】
内筒１２は、集塵容器１１内に配置された円筒状の部材である。ここで、内筒１２は、塵埃受部１４によって回転可能に支持されている。具体的に、内筒１２は、内筒１２の上端に設けられた環状の凹部１２ａが塵埃受部１４の下端に設けられた環状の支持部１４ｃに支持されることにより、塵埃受部１４と一体に回転可能な状態で吊り下げられている。なお、内筒１２を回転可能に支持する構成は、これに限られるものではない。たとえば内筒１２の上下の端部を軸支することが一例として考えられる。
【００２６】
内筒１２は、傾斜除塵部材１３４に一体回転可能に連結されている。これにより、内筒１２は、傾斜除塵部材１３４に連動して回転することになる。なお、内筒１２および傾斜除塵部材１３４の連結構造はこれに限られない。たとえば、内筒１２および傾斜除塵部材１３４各々に設けられた嵌合部を嵌合させることにより一体回転可能に連結する構成が考えられる。
【００２７】
また、内筒１２の上部には、集塵容器１１で塵埃が分離された後の空気を、上部フィルタユニット１３に向けて排気するための内筒排気口１２１が形成されている。そして、内筒排気口１２１には、内筒排気口１２１全体を覆う内筒状をなす内筒フィルタ１２２が設けられている。内筒フィルタ１２２は、内筒排気口１２１を通過する空気を濾過する。
【００２８】
たとえば、内筒フィルタ１２２は、メッシュ状のエアフィルタなどである。なお、内筒フィルタ１２２は、内筒排気口１２１の内側または外側のいずれに設けられていてもよい。また、内筒排気口１２１および内筒フィルタ１２２に代えて、内筒１２にメッシュ状の孔を形成する構成も考えられる。その場合は、メッシュ状の孔が内筒排気口１２１および内筒フィルタ１２２として機能する。
【００２９】
図２で示す底面図では、回動機構５１０と底蓋３１０とを結ぶ線の両側に第一係合部５２０および第二係合部５３０が設けられている。このような配置とすることで、回動機構５１０、第一係合部５２０および第二係合部５３０により確実に底蓋３１０を集塵容器１１に固定することができる。
【００３０】
図５は、ある方向から見たサイクロン集塵装置３００の構造を示す斜視図である。図６は、別の方向から見たサイクロン集塵装置３００の構造を示す斜視図である。図５および図６を参照して、底蓋３１０は、回動機構５１０により集塵容器１１に回動可能に取付けられている。底蓋３１０は開口３３０を封止しており、開口から塵埃が漏れることを防止している。底蓋３１０は、回動機構５１０、第一係合部５２０および第二係合部５３０により集塵容器１１に保持されている。操作部５４０を操作することで第一係合部５２０および第二係合部５３０の係合が外れて、底蓋３１０が回動機構５１０を中心として回動する。これにより開口３３０が露出して集塵容器１１から塵埃を排出することができる。
【００３１】
図７は、底蓋３１０が開いた状態を示す斜視図である。図７で示すように、第一係合部５２０および第二係合部５３０と底蓋３１０との係合が解除されると、底蓋３１０は回動機構５１０を中心として回動して開口３３０が露出する。これにより、螺旋状回転圧縮部１２３によって圧縮された塵埃が開口３３０から排出される。
【００３２】
図８は、集塵容器１１に設けられる操作部５４０の構成を詳細に説明するための斜視図である。図９は、操作部５４０が操作されて第一係合部５２０および第二係合部５３０による係合が解除された状態を示す斜視図である。図８および図９を参照して、操作部５４０は、集塵容器１１の外周面に沿って延びるアーム部５４１に接続されている。アーム部５４１のアーム側先端部５４２，５４３は、第一係合部５２０および第二係合部５３０に設けられた係合部側先端部５２１，５３１と当接しており、当接面がテーパ面とされている。これによりアーム部５４１が円周方向にスライド移動することにより、係合部側先端部５２１，５３１が半径方向に移動する。その結果、第一係合部５２０および第二係合部５３０が回動して第一係合部５２０および第二係合部５３０と底蓋３１０との係合が解除される。第一係合部５２０および第二係合部５３０はバネ５２２，５３２により付勢されている。
【００３３】
図１０は、筐体１０と、筐体１０に取り付けられた螺旋状回転圧縮部１２３とを拡大して示す斜視図である。図１１は、筐体１０の内部構成を説明するために示す分解斜視図である。
【００３４】
内筒１２の下部には、集塵容器１１の塵埃を圧縮するための垂直中心軸周りに回転可能な螺旋状回転圧縮部１２３が設けられている。螺旋状回転圧縮部の斜視図である図４を参照しつつ螺旋状回転圧縮部１２３について説明する。
【００３５】
図２および図３で示されているように、螺旋状回転圧縮部１２３には、螺旋状曲面を備えた螺旋部１２３ａと、回転軸部１２３ｂと、円盤状遮蔽部材１２３ｃとが設けられている。
【００３６】
回転軸部１２３ｂは、集塵容器１１の底部に設けられた嵌合部１１ａに嵌合される中空円筒である。前述したように、回転軸部１２３ｂおよび嵌合部１１ａの間にはシール部材１１ｂが介在する。
【００３７】
円盤状遮蔽部材１２３ｃは、集塵容器１１内において、旋回流の遠心分離力により塵埃を分離する上部空間の部分（分離部１０４）と、塵埃を蓄積する下部空間の部分（集塵部１０５）との仕切りの役割を果たす。これにより、捕集した塵埃が巻き上がり、内筒フィルタ１２２を詰まらせることを防ぐ。また円盤状であるため、サイクロン気流中に含まれる塵埃が引っかかることがなく、効率的に塵埃を集塵容器１１の底部へ誘導することができる。
【００３８】
回転軸部１２３ｂには、回転軸部１２３ｂを中心にして、集塵部１０５の底面に向かった螺旋状に延び、その上下面が垂直中心軸Ｐを中心とする螺旋状曲面を備えた湾曲した板状の螺旋部１２３ａ（圧縮部材の一部）が設けられている。螺旋部１２３ａは、後述するように内筒１２が回転するときに集塵容器１１内に蓄積され、集塵容器１１の内周面に接触して回転させることに抵抗がある集塵を、ねじの運び作用によって集塵容器１１の底部に向かって移動させる。このとき、圧縮部材の螺旋状曲面が螺旋状曲面をねじと想定したときに圧縮部材の回転によりねじが後退するように形成されることにより、この螺旋状曲面で塵を圧縮することができる。
【００３９】
このとき、螺旋部１２３ａの螺旋状曲面は旋回気流と同様の傾斜方向をもって形成されることが好ましい。このような螺旋部１２３ａを旋回と反対方向に回転させることで集塵容器１１内の塵埃は、集塵容器１１内面との摩擦によって、集塵容器１１底部へ移動することになる。
【００４０】
但し、螺旋部１２３ａの螺旋状曲面を、集塵容器１１の内周面に沿って旋回する気流の傾きとは反対方向に傾斜させることも可能である。このとき、螺旋部１２３ａの回転方向は旋回気流の旋回方向と同一方向、すなわち螺旋部１２３ａをねじと想定したとき、螺旋部１２３ａの回転によりねじが後退する方向となる。
【００４１】
さらに、内筒１２が回転するとき、集塵容器１１の底部まで移動した塵埃に対して螺旋部１２３ａは集塵容器１１の底部との摩擦によって上記底面との間で塵埃を回転により回転軸中心から外側に向かって押出し圧縮することになる。このような構成とすれば、塵埃が回転によって固く圧縮されるので、集塵容器１１の塵埃の蓄積可能量を増加させることができる。したがって、集塵容器１１の小型化を実現することも可能である。また固く圧縮された塵埃は、容易に解けないので、取出し時にも空気中に散乱する問題がなく、そのままの形で塵として廃棄することができる。
【００４２】
また、上記のように螺旋状回転圧縮部１２３が螺旋状回転圧縮部が回転することによって螺旋部１２３ａにより圧縮された塵埃の一部は、長い髪の毛などを含んでいるので螺旋部１２３ａに絡みつく。そのため、上記のように底蓋３１０を開放して、集塵容器１１の底部に形成した開口３３０から塵埃を放出しようとしても簡単には外部に放出されない。また、塵埃を勢いよく放出すると塵埃に含まれる細かいちりなどが空気中に散乱し、部屋を汚すことになる。そのため、何らかの方法で、簡単な操作で塵埃をゆっくり外部に放出する機構が必要である。そのために設けられた塵埃を簡単な操作でゆっくり外部に放出するための機構について以下に説明する。
【００４３】
上部フィルタユニット１３を内部に備えた筐体１０の上面には取っ手３１４が設けられている。取っ手３１４は外部から操作可能な操作部材の一例である。
【００４４】
取っ手３１４は、筐体１０とは独立して垂直軸芯の周りに回転自在である。取っ手３１４の内部には、傾斜面を構成する上側取っ手内蔵ギヤ３１６が一体に内蔵されており、上側取っ手内蔵ギヤ３１６と同じく斜面を構成する下側取っ手内蔵ギヤ３１８が噛合っている。上側取っ手内蔵ギヤ３１６が回転すると下側取っ手内蔵ギヤ３１８が上記傾斜に押されて下方向に移動する。したがって、取っ手３１４を回転させることで上側取っ手内蔵ギヤ３１６が下側取っ手内蔵ギヤ３１８と噛合って取っ手３１４の回転が下側取っ手内蔵ギヤ３１８に伝えられる。
【００４５】
下側取っ手内蔵ギヤ３１８は、中間体３２０の上面に形成されており、中間体３２０の下面にはクラッチギヤが形成されているので、下側取っ手内蔵ギヤ３１８の下方への移動により中間体３２０とともにクラッチギヤも下方向に移動することになる。
【００４６】
中間体３２０の下方には、隙間を介してフィルタ除塵部材１３２に一体的に固定されたクラッチ受部が設けられており、上記中間体３２０の下方への移動に伴ってクラッチギヤとクラッチ受部とが噛合い、取っ手３１４の回転がクラッチギヤとクラッチ受部から構成されるクラッチ機構を介して、フィルタ除塵部材１３２に伝達され、フィルタ除塵部材１３２に連結された内筒１２およびこれと一体に連結された螺旋状回転圧縮部１２３が回転し、螺旋部１３２ａが回転する。これによって、螺旋部１２３ａのねじの運び作用により螺旋部１２３ａに絡まった塵埃がゆっくりと螺旋部１２３ａの先端方向に運ばれ、底蓋３１０が開くことによって開放された集塵容器１１の底部開口から外部に放出される。
【００４７】
このように操作者によって取っ手３１４が回転されることで塵埃がゆっくりと外部に放出されるので、塵埃に含まれる細かい塵などが舞い上ることを防止し、また、塵が飛散することなく室内がちりによって汚染されることがない。
【００４８】
なお、取っ手３１４から手を離すとばね収容部に内蔵されたばねによって中間体３２０が押し上げられ、クラッチギヤとクラッチ受部から構成されるクラッチ機構が開放される。これによって、取っ手３１４を操作しない限りクラッチ機構が開放状態にあるので、除塵駆動モータ１５１によってフィルタ除塵部材１３２が回転しても取っ手３１４が回転しないので安全である。
【００４９】
図１２は、この発明の実施の形態に従った第二係合部５３０の正面図である。図１３は、図１２中の矢印ＸＩＩＩで示す方向から見た平面図である。図１４は、図１２中の矢印ＸＩＶで示す方向から見た底面図である。図１５は、図１２中の矢印ＸＶで示す方向から見た左側面図である。図１６は、図１２中の矢印ＸＶＩで示す方向から見た右側面図である。図１７は、図１６中の矢印ＸＶＩＩで示す方向から見た背面図である。図１８は、図１２中の矢印ＸＶＩＩＩで示す方向から見た平面図である。図１９は、図１２中のＸＩＸ−ＸＩＸ線に沿った断面図である。図２０は、図１２中のＸＸ−ＸＸ線に沿った断面図である。図２１は、図１２中のＸＸＩ−ＸＸＩ線に沿った断面図である。
【００５０】
これらの図を参照して、第二係合部５３０は回動軸となるシャフト部５３５を有する。シャフト部５３５は円柱状であり、集塵容器１１の円周方向に沿って延びるように形成されている。シャフト部５３５が集塵容器１１に回動可能に保持されている。
【００５１】
係合部側端部５３１はシャフト部５３５の延びる方向に向かって突出しており、アーム部から力が加えられる。この実施の形態では１つの操作部５４０を操作することで第一係合部５２０および第二係合部５３０の係合を解除するためにアーム部５４１を設けているが、第一操作部が第一係合部５２０の係合を解除し、第二操作部が第二係合部５３０の係合を解除する構成を採用するのであれば、アーム部５４１を設ける必要はない。
【００５２】
第二係合部５３０の下端には、係合端部５３３が設けられている。係合端部５３３は底蓋３１０の外周部を受け入れる形状をしており、第二係合部５３０がシャフト部５３５を中心に回動することで係合端部５３３と底蓋３１０との係合が解除される。
【００５３】
この発明に従った電気掃除機は、塵埃を含む旋回気流を導入する導入口および空気の出口となる開口を有し、旋回気流により塵埃を集塵する集塵容器を有し、集塵容器には塵埃を排出するための開口が設けられているサイクロン集塵装置と集塵室内にて塵埃を圧縮する螺旋状回転圧縮部１２３と，開口３３０に嵌め合わせられる底蓋３１０と、底蓋３１０を集塵容器１１に回動可能に取付ける回動機構５１０と、底蓋３１０を集塵容器１１に係合させることが可能な第一および第二係合部５２０，５３０とを備え、回動機構５１０と底蓋３１０の中心とを結ぶ線５００ａの両側に第一および第二係合部５２０，５３０がそれぞれ設けられ、螺旋状回転圧縮部１２３で圧縮された塵埃は第一および第二係合部５２０，５３０による係合が解除されて底蓋３１０が開かれることで開口３３０から集塵容器１１外へ排出される。
【００５４】
電気掃除機は、第一および第二係合部５２０，５３０に接続された操作部５４０をさらに備え、操作部５４０が操作させることで第一および第二係合部５２０，５３０における底蓋３１０と集塵容器１１との係合が解除される。
【００５５】
図２２は、別の局面に従った電気掃除機における第一および第二係合部５２０，５３０の構成を説明するために示す底面図である。図２２を参照して、第一係合部５２０および第二係合部５３０が連結されており、１つの部材で構成されていてもよい。操作部５４０に円弧形状のアーム部５６０が接続され、その先端部が第一係合部５２０および第二係合部５３０となっている。しかし、この場合であっても第一係合部５２０および第二係合部５３０は、回動機構５１０と底蓋３１０の中心とを通る直線の両側に設けられている。
【００５６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５７】
【図１】この発明の実施の形態に従った電気掃除機の外観図である。
【図２】この発明の実施の形態に従った電気掃除機で用いられるサイクロン集塵装置の底面図である。
【図３】図２中のＩＩＩ−ＩＩＩ線に沿ったサイクロン集塵装置の内部構造を説明するための断面図である。
【図４】図２中のＩＶ−ＩＶ線に沿ったサイクロン集塵装置の内部構造を説明するための断面図である。
【図５】ある方向から見たサイクロン集塵装置３００の構造を示す斜視図である。
【図６】別の方向から見たサイクロン集塵装置３００の構造を示す斜視図である。
【図７】底蓋３１０が開いた状態を示す斜視図である。
【図８】集塵容器１１に設けられる操作部５４０の構成を詳細に説明するための斜視図である。
【図９】操作部５４０が操作されて第一係合部５２０および第二係合部５３０による係合が解除された状態を示す斜視図である。
【図１０】筐体１０と、筐体１０に取り付けられた螺旋状回転圧縮部１２３とを拡大して示す斜視図である。
【図１１】筐体１０の内部構成を説明するために示す分解斜視図である。
【図１２】この発明の実施の形態に従った第二係合部５３０の正面図である。
【図１３】図１２中の矢印ＸＩＩＩで示す方向から見た平面図である。
【図１４】図１２中の矢印ＸＩＶで示す方向から見た底面図である。
【図１５】図１２中の矢印ＸＶで示す方向から見た左側面図である。
【図１６】図１２中の矢印ＸＶＩで示す方向から見た右側面図である。
【図１７】図１６中の矢印ＸＶＩＩで示す方向から見た背面図である。
【図１８】図１２中の矢印ＸＶＩＩＩで示す方向から見た平面図である。
【図１９】図１２中のＸＩＸ−ＸＩＸ線に沿った断面図である。
【図２０】図１２中のＸＸ−ＸＸ線に沿った断面図である。
【図２１】図１２中のＸＸＩ−ＸＸＩ線に沿った断面図である。
【図２２】別の局面に従った電気掃除機における第一および第二係合部５２０，５３０の構成を説明するために示す底面図である。
【符号の説明】
【００５８】
１０  筐体、１１ｂ  シール部材、１１ａ  嵌合部、１１  集塵容器、１２  内筒、１２ａ  凹部、１３  上部フィルタユニット、１４  塵埃受部、１４ｃ  支持部、４１，４２  凸部、１０４  分離部、１０５  集塵部、１１１  接続部、１１１ａ  空気流入口、１１２  排気経路、１１２ａ  矢印、１２１  内筒排気口、１２２  内筒フィルタ、１２３ｃ  円盤状遮蔽部材、１２３ｂ  回転軸部、１２３  螺旋状回転圧縮部、１２３ａ  螺旋部、１３２  フィルタ除塵部材、１３２ａ  螺旋部、１３４  傾斜除塵部材、１６１  シール部材、３００  サイクロン集塵装置、３１０  底蓋、３２０  中間体、３３０  開口、４００  電気掃除機、４１０  掃除機本体部、４２０  吸気口部、４３０  接続管、４４０  接続ホース、４５０  操作ハンドル、５１０  回動機構、５２０  第一係合部、５３０  第二係合部、５４０  操作部。
【図１】
2010104502.tif 000003
【図２】
2010104502.tif 000004
【図３】
2010104502.tif 000005
【図４】
2010104502.tif 000006
【図５】
2010104502.tif 000007
【図６】
2010104502.tif 000008
【図７】
2010104502.tif 000009
【図８】
2010104502.tif 000010
【図９】
2010104502.tif 000011
【図１０】
2010104502.tif 000012
【図１１】
2010104502.tif 000013
【図１２】
2010104502.tif 000014
【図１３】
2010104502.tif 000015
【図１４】
2010104502.tif 000016
【図１５】
2010104502.tif 000017
【図１６】
2010104502.tif 000018
【図１７】
2010104502.tif 000019
【図１８】
2010104502.tif 000020
【図１９】
2010104502.tif 000021
【図２０】
2010104502.tif 000022
【図２１】
2010104502.tif 000023
【図２２】
2010104502.tif 000024
【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
塵埃を含む旋回気流を導入する導入口および空気の出口となる開口を有し、旋回気流により塵埃を集塵する集塵容器を有し、前記集塵容器には塵埃を排出するための開口が設けられているサイクロン集塵装置と
前記集塵室内にて塵埃を圧縮する圧縮部と、
前記開口に嵌め合わせられる蓋部と、
前記蓋部を前記集塵容器に回動可能に取付ける回動機構と、
前記蓋部を前記集塵容器に係合させることが可能な第一および第二係合部とを備え、
前記回動機構と前記蓋部の中心とを結ぶ線の両側に前記第一および第二係合部がそれぞれ設けられ、
前記圧縮部で圧縮された塵埃は前記第一および第二係合部による係合が解除されて前記蓋部が開かれることで開口から集塵容器外へ排出される、電気掃除機。
【請求項２】
前記第一および第二係合部に接続された操作部をさらに備え、前記操作部が操作させることで前記第一および第二係合部における前記蓋部と前記集塵容器との係合が解除される、請求項１に記載の電気掃除機。
【手続補正２】
【補正対象書類名】明細書
【補正対象項目名】０００５
【補正方法】変更
【補正の内容】
【０００５】
この発明に従った電気掃除機は、塵埃を含む旋回気流を導入する導入口および空気の出口となる開口を有し、旋回気流により塵埃を集塵する集塵容器を有し、集塵容器には塵埃を排出するための開口が設けられているサイクロン集塵装置と集塵室内にて塵埃を圧縮する圧縮部と，開口に嵌め合わせられる蓋部と、蓋部を集塵容器に回動可能に取付ける回動機構と、蓋部を集塵容器に係合させることが可能な第一および第二係合部とを備え、回動機構と蓋部の中心とを結ぶ線の両側に第一および第二係合部がそれぞれ設けられ、圧縮部で圧縮された塵埃は第一および第二係合部による係合が解除されて蓋部が開かれることで開口から集塵容器外へ排出される。
【手続補正３】
【補正対象書類名】明細書
【補正対象項目名】００３５
【補正方法】変更
【補正の内容】
【００３５】
図３および図１０で示されているように、螺旋状回転圧縮部１２３には、螺旋状曲面を備えた螺旋部１２３ａと、回転軸部１２３ｂと、円盤状遮蔽部材１２３ｃとが設けられている。
【手続補正４】
【補正対象書類名】明細書
【補正対象項目名】００４４
【補正方法】変更
【補正の内容】
【００４４】
取っ手３１４は、筐体１０とは独立して垂直軸芯の周りに回転自在である。取っ手３１４の内部には、図１１で示すように傾斜面を構成する上側取っ手内蔵ギヤ３１６が一体に内蔵されており、上側取っ手内蔵ギヤ３１６と同じく斜面を構成する下側取っ手内蔵ギヤ３１８が噛合っている。上側取っ手内蔵ギヤ３１６が回転すると下側取っ手内蔵ギヤ３１８が上記傾斜に押されて下方向に移動する。したがって、取っ手３１４を回転させることで上側取っ手内蔵ギヤ３１６が下側取っ手内蔵ギヤ３１８と噛合って取っ手３１４の回転が下側取っ手内蔵ギヤ３１８に伝えられる。
【手続補正５】
【補正対象書類名】明細書
【補正対象項目名】００４９
【補正方法】変更
【補正の内容】
【００４９】
図１２は、この発明の実施の形態に従った第二係合部５３０の正面図である。図１３は、図１２中の矢印ＸＩＩＩで示す方向から見た平面図である。図１４は、図１２中の矢印ＸＩＶで示す方向から見た底面図である。図１５は、図１２中の矢印ＸＶで示す方向から見た左側面図である。図１６は、図１２中の矢印ＸＶＩで示す方向から見た右側面図である。図１７は、図１６中の矢印ＸＶＩＩで示す方向から見た背面図である。図１８は、図１２中の矢印ＸＶＩＩＩで示す方向から見た斜視図である。図１９は、図１２中のＸＩＸ−ＸＩＸ線に沿った断面図である。図２０は、図１２中のＸＸ−ＸＸ線に沿った断面図である。図２１は、図１２中のＸＸＩ−ＸＸＩ線に沿った断面図である。
【手続補正６】
【補正対象書類名】明細書
【補正対象項目名】００５０
【補正方法】変更
【補正の内容】
【００５０】
これらの図を参照して、実施の形態２に従った構造を説明する。第二係合部５３０は回動軸となるシャフト部５３５を有する。シャフト部５３５は円柱状であり、集塵容器１１の円周方向に沿って延びるように形成されている。シャフト部５３５が集塵容器１１に回動可能に保持されている。
【手続補正７】
【補正対象書類名】明細書
【補正対象項目名】００５１
【補正方法】変更
【補正の内容】
【００５１】
係合部側端部５３１はシャフト部５３５の延びる方向に向かって突出しており、アーム部５４１（図８，９参照）から力が加えられる。この実施の形態では１つの操作部５４０を操作することで第一係合部５２０および第二係合部５３０の係合を解除するためにアーム部５４１を設けているが、第一操作部が第一係合部５２０の係合を解除し、第二操作部が第二係合部５３０の係合を解除する構成を採用するのであれば、アーム部５４１を設ける必要はない。
【手続補正８】
【補正対象書類名】明細書
【補正対象項目名】００５７
【補正方法】変更
【補正の内容】
【００５７】
【図１】この発明の実施の形態に従った電気掃除機の外観図である。
【図２】この発明の実施の形態に従った電気掃除機で用いられるサイクロン集塵装置の底面図である。
【図３】図２中のＩＩＩ−ＩＩＩ線に沿ったサイクロン集塵装置の内部構造を説明するための断面図である。
【図４】図２中のＩＶ−ＩＶ線に沿ったサイクロン集塵装置の内部構造を説明するための断面図である。
【図５】ある方向から見たサイクロン集塵装置３００の構造を示す斜視図である。
【図６】別の方向から見たサイクロン集塵装置３００の構造を示す斜視図である。
【図７】底蓋３１０が開いた状態を示す斜視図である。
【図８】集塵容器１１に設けられる操作部５４０の構成を詳細に説明するための斜視図である。
【図９】操作部５４０が操作されて第一係合部５２０および第二係合部５３０による係合が解除された状態を示す斜視図である。
【図１０】筐体１０と、筐体１０に取り付けられた螺旋状回転圧縮部１２３とを拡大して示す斜視図である。
【図１１】筐体１０の内部構成を説明するために示す分解斜視図である。
【図１２】この発明の実施の形態に従った第二係合部５３０の正面図である。
【図１３】図１２中の矢印ＸＩＩＩで示す方向から見た平面図である。
【図１４】図１２中の矢印ＸＩＶで示す方向から見た底面図である。
【図１５】図１２中の矢印ＸＶで示す方向から見た左側面図である。
【図１６】図１２中の矢印ＸＶＩで示す方向から見た右側面図である。
【図１７】図１６中の矢印ＸＶＩＩで示す方向から見た背面図である。
【図１８】図１２中の矢印ＸＶＩＩＩで示す方向から見た斜視図である。
【図１９】図１２中のＸＩＸ−ＸＩＸ線に沿った断面図である。
【図２０】図１２中のＸＸ−ＸＸ線に沿った断面図である。
【図２１】図１２中のＸＸＩ−ＸＸＩ線に沿った断面図である。
【図２２】別の局面に従った電気掃除機における第一および第二係合部５２０，５３０の構成を説明するために示す底面図である。
【手続補正９】
【補正対象書類名】図面
【補正対象項目名】図１２
【補正方法】変更
【補正の内容】
【図１２】
2010104502.tif 000025